(57)【要約】【課題】既存建物と耐震用の補強フレームとを確実且つ安定的に連結することが可能な連結用スラブを提供する。【解決手段】既存建物２０の外部に構築された新設柱３２と新設梁３３とからなる補強フレーム３０を既存建物２０と一体に連結した耐震補強構造において、既存梁２３と新設梁３３との間にて、既存建物２０の既存梁２３から新設梁３３側に張り出した既存スラブ２１の下面に、コンクリートによって既存スラブ２１と一体に連結用スラブ１０が構築されている。連結用スラブ１０の内部には、既存梁２３と新設梁３３との互いに対向する面からそれぞれ突出されたアンカー４１，４２が配置されている。上部鋼板５２及び下部鋼板５３が固定された鋼管５１からなる連結部材５０が、既存スラブ２１に形成された貫通孔２１ａ内と連結用スラブ１０内に連続して位置する。【選択図】図２
2014001550.tif 000002
【特許請求の範囲】
【請求項１】
既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブであって、
前記既存梁と前記新設梁との互いに対向する面からそれぞれ突出されたアンカーが内部に配置され、
上下端外周部にそれぞれ鋼板が固定された鋼管からなる連結部材が、前記既存スラブを上下に貫通して形成された貫通孔内と当該連結用スラブ内とに連続して位置することを特徴とする連結用スラブ。
【請求項２】
前記貫通孔は段差面を有し、前記貫通孔の段差面より上側部分は前記連結部材の上側の鋼板の外径より大径であり、前記貫通孔の段差面より下側部分は前記連結部材の下側の鋼板の外径より大径で、且つ前記連結部材の上側の鋼板の外径より小径であることを特徴とする請求項１に記載の連結用スラブ。
【請求項３】
前記新設柱及び前記新設梁は、それぞれプレキャスト部材からなることを特徴とする請求項１又は２に記載の連結用スラブ。
【請求項４】
前記連結部材は、前記貫通孔内に当該連結部材の鋼管の長さ方向にその外径以上挿入され、且つ、当該連結用スラブ内に当該連結部材の鋼管の長さ方向にその外径以上挿入されていることを特徴とする請求項１から３の何れか１項に記載の連結用スラブ。
【請求項５】
既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブの構築方法であって、
前記既存スラブに上下に貫通した貫通孔を形成する工程と、
前記既存梁の前記新設梁に対向する面から突出するアンカーを設置する工程と、
前記新設梁の前記既存梁に対向する面から突出するアンカーを設置する工程と、
鋼管の上下端外周部にそれぞれ鋼板が固定された連結部材を、前記貫通孔内に設置する工程と、
前記既存スラブの下側の前記既存梁と前記新設梁との間に型枠を設置し、前記連結部材の前記鋼管の内部を介して、前記既存スラブの上方からコンクリートを打設する工程と、
前記コンクリートが硬化した後、前記連結部材の外周面と前記貫通孔の内周面との間の隙間にグラウトを充填する工程とを備えることを特徴とする連結用スラブの構築方法。
【請求項６】
前記連結部材の上側の鋼板には、少なくとも２つの開口が形成されていることを特徴とする請求項５に記載の連結用スラブの構築方法。
【請求項７】
既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブの構築方法であって、
前記既存スラブに上下に貫通した貫通孔を形成する工程と、
前記既存梁の前記新設梁に対向する面から突出するアンカーを設置する工程と、
前記新設梁の前記既存梁に対向する面から突出するアンカーを設置する工程と、
前記既存スラブの下側の前記既存梁と前記新設梁との間に型枠を設置し、前記貫通孔を介して、前記既存スラブの上方からコンクリートを打設する工程と、
前記コンクリートが硬化する前に、鋼管の上下端外周部にそれぞれ鋼板が固定された連結部材を、前記貫通孔内に設置する工程とを備えることを特徴とする連結用スラブの構築方法。
【請求項８】
前記連結部材の上側の鋼板には、少なくとも１つの開口が形成されていることを特徴とする請求項７に記載の連結用スラブの構築方法。
【発明の詳細な説明】
【技術分野】
【０００１】
本発明は、既存建物とその外部に構築される耐震用の補強フレームとを構造的に一体に連結するための連結用スラブ、及びその構築方法に関する。
【背景技術】
【０００２】
１９８５年５月に建物の耐震基準が変更されたため、それ以前に建築された多くの建物は変更後の耐震基準を満たしていない。このような建物は耐震基準を満たすために補強する必要がある。
【０００３】
既存建物の耐震補強方法には、主に、既存建物内部の柱、梁、耐震壁などの構造部材を補強又は新設する方法と、既存建物の外部に耐震補強用の構造体を新設して、この構造体に既存建物の応力を負担させる方法とがある。
【０００４】
既存建物内部の構造部材を補強又は新設する場合は、工事期間内は居住者などを退避させる必要がある、補強後は構造部材の断面積が増えた分内部空間が狭くなる、室内など狭い空間内で工事を行う必要がある、などの問題がある。
【０００５】
外部に耐震補強用の構造体を新設する場合は、耐震補強用の構造体を新設する敷地を必要とするが、上述した内部の構造部材を補強又は新設する場合における問題は生じない。
【０００６】
外部に新設する耐震補強用の構造体は既存建物と構造的に一体化する必要があり、これらを連結する連結部材は十分な剛性及び耐力を有する必要がある。
【０００７】
例えば、特許文献１には、プレキャスト製柱とプレキャスト製ベランダ支持部付梁とが一体化された外フレームを既存建物の外側に構築する耐震補強構造が開示されている。そして、特許文献１には、短管からなる連結部材を既設ベランダの連結用貫通孔とベランダ支持部の連結用凹部とに亘って配置し、ベランダ支持部の先端と既存梁との隙間からグラウトを充填して、ベランダ支持部と既設ベランダ、及びベランダ支持部と既存梁を結合して一体化することが開示されている。
【先行技術文献】
【特許文献】
【０００８】
【特許文献１】特許第３５２２２５５号公報
【発明の概要】
【発明が解決しようとする課題】
【０００９】
しかしながら、上記特許文献１に記載された構造では、連結部材は、既設建物に作用する剪断力を外フレームに伝達する機能は有するが、ベランダ支持部と既設ベランダとの連結にはあまり寄与していない。
【００１０】
本発明は、以上の点に鑑み、既存建物と耐震用の補強フレームとを確実且つ安定的に連結することが可能な連結用スラブ、及びその構築方法を提供することを目的とする。
【課題を解決するための手段】
【００１１】
本発明の連結用スラブは、既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブであって、前記既存梁と前記新設梁との互いに対向する面からそれぞれ突出されたアンカーが内部に配置され、上下端外周部にそれぞれ鋼板が固定された鋼管からなる連結部材が、前記既存スラブを上下に貫通して形成された貫通孔内と当該連結用スラブ内とに連続して位置することを特徴とする。
【００１２】
本発明の連結用スラブによれば、既存梁と新設梁との互いに対向する面からそれぞれ突出されたアンカーが連結用スラブの内部に配置されており、これらのアンカーによって、連結用スラブは既存梁及び新設梁とそれぞれ連結されている。さらに、既存スラブの貫通孔内と連結用スラブ内とに連続して位置した連結部材によって、連結用スラブは既存スラブと連結されている。
【００１３】
よって、既存建物と補強フレームとは、アンカー及び連結部材によって連結用スラブを介して、確実且つ安定的に連結されている。そして、これにより、地震時の既存建物の剪断力は、アンカー及び連結部材によって連結用スラブを介して補強フレームに伝達されるので、地震時に既存建物にかかる応力が補強フレームに確実且つ安定的に伝達され、既存建物の損傷を防ぐことが可能となる。
【００１４】
本発明の連結用スラブにおいて、前記貫通孔は段差面を有し、前記貫通孔の段差面より上側部分は前記連結部材の上側の鋼板の外径より大径であり、前記貫通孔の段差面より下側部分は前記連結部材の下側の鋼板の外径より大径で、且つ前記連結部材の上側の鋼板の外径より小径であることが好ましい。
【００１５】
この場合、既存スラブに形成された貫通孔に連結部材を設置したとき、連結部材の上側の鋼板は、貫通孔の段差面に支持される。よって、連結部材を予め定められた位置に確実に設置することができる。また、連結部材の下側の鋼板は、コンクリートに外部を囲まれて、連結用スラブ内に位置する。よって、下側の鋼板がコンクリートを支持することになり、連結用スラブが下降して既存スラブとの連結が消失することを防止することができる。
【００１６】
また、本発明の連結用スラブにおいて、前記新設柱及び前記新設梁はプレキャスト部材からなることが好ましい。
【００１７】
この場合、補強フレームを構築する工期を短縮することが可能となる。また、既存スラブの形状などによっては、補強フレームを構築するための型枠の設置又は撤去などが困難になることがある。しかし、補強フレームにプレキャスト部材を用いることによって、型枠を省略又は削減することが可能となる。
【００１８】
また、本発明の連結用スラブにおいて、前記連結部材は、前記貫通孔内に当該連結部材の鋼管の長さ方向にその外径以上挿入され、且つ、当該連結用スラブ内に当該連結部材の鋼管の長さ方向にその外径以上挿入されていることが好ましい。
【００１９】
この場合、既存スラブと連結用スラブとを連結部材によって確実且つ安定的に連結することができる。
【００２０】
本発明の第１の連結用スラブの構築方法は、既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブの構築方法であって、前記既存スラブに上下に貫通した貫通孔を形成する工程と、前記既存梁の前記新設梁に対向する面から突出するアンカーを設置する工程と、前記新設梁の前記既存梁に対向する面から突出するアンカーを設置する工程と、鋼管の上下端外周部にそれぞれ鋼板が固定された連結部材を、前記貫通孔内に設置する工程と、前記既存スラブの下側の前記既存梁と前記新設梁との間に型枠を設置し、前記連結部材の前記鋼管の内部を介して、前記既存スラブの上方からコンクリートを打設する工程と、前記コンクリートが硬化した後、前記連結部材の外周面と前記貫通孔の内周面との間の隙間にグラウトを充填する工程とを備えることを特徴とする。
【００２１】
本発明の第２の連結用スラブの構築方法は、既存建物の外部に構築された新設柱と新設梁とからなる補強フレームを前記既存建物と一体に連結した耐震補強構造において、前記既存建物の既存梁と前記新設梁との間にて、前記既存梁から前記新設梁側に張り出した既存スラブの下面に、コンクリートによって前記既存スラブと一体に構築される連結用スラブの構築方法であって、前記既存スラブに上下に貫通した貫通孔を形成する工程と、前記既存梁の前記新設梁に対向する面から突出するアンカーを設置する工程と、前記新設梁の前記既存梁に対向する面から突出するアンカーを設置する工程と、前記既存スラブの下側の前記既存梁と前記新設梁との間に型枠を設置し、前記貫通孔を介して、前記既存スラブの上方からコンクリートを打設する工程と、前記コンクリートが硬化する前に、鋼管の上下端外周部にそれぞれ鋼板が固定された連結部材を、前記貫通孔内に設置する工程とを備えることを特徴とする。
【００２２】
本発明の第１又は第２の連結用スラブの構築方法によれば、連結用スラブの内部には、既存梁と新設梁との互いに対向する面からそれぞれ突出されたアンカーが配置され、これらのアンカーによって、連結用スラブは既存梁及び新設梁とそれぞれ連結される。さらに、既存スラブの貫通孔内と連結用スラブ内とに連続して位置した連結部材によって、連結用スラブは既存スラブと連結される。
【００２３】
よって、既存建物と補強フレームとは、アンカー及び連結部材によって連結用スラブを介して、確実且つ安定的に連結される。そして、これにより、地震時の既存建物の剪断力は、アンカー及び連結部材によって連結用スラブを介して補強フレームに伝達されるので、地震時に既存建物にかかる応力が補強フレームに確実且つ安定的に伝達され、既存建物の損傷を防ぐことが可能となる。
【００２４】
また、本発明の第１の連結用スラブの構築方法においては、前記連結部材の上側の鋼板には、少なくとも２つの開口が形成されていることが好ましい。
【００２５】
この場合、連結部材の上側の鋼板に形成された開口のうち、少なくとも１つの開口はグラウト充填用の孔として機能し、他の少なくとも１つの開口はグラウト充填時の空気抜け孔として機能する。
【００２６】
また、本発明の第２の連結用スラブの構築方法においては、前記連結部材の上側の鋼板には、少なくとも１つの開口が形成されていることが好ましい。
【００２７】
この場合、連結部材の上側の鋼板に形成された少なくとも１つの開口は、連結部材をセメント内に打設するときの空気抜け孔として機能する。
【図面の簡単な説明】
【００２８】
【図１】本発明の実施形態に係る既存建物及び補強フレームを示す説明図。
【図２】図１のII−II線断面図。
【図３】図２の連結部材付近の拡大図。
【図４】図２の別態様。
【図５】本発明の実施形態に係る連結用スラブの構築方法を説明する図。
【発明を実施するための形態】
【００２９】
本発明の実施形態に係る連結用スラブ１０について図面を参照して説明する。図１に示すように、連結用スラブ１０は、既存建物２０の外部に補強フレーム３０を構築し、既存建物２０と補強フレーム３０とを一体に連結した耐震補強構造において、既存建物２０のスラブ（既存スラブ）２１を補強フレーム３０に連結するために新たに構築される新設スラブである。連結用スラブ１０と既存スラブ２１とで連結スラブが構成される。
【００３０】
既存建物２０は、柱（既存柱）２２や梁（既存梁）２３などからなり、外周の既存梁２３から外側に向って、バルコニーや共用廊下などを構成する既存スラブ２１が設置されている。既存建物２０は、例えば、鉄筋コンクリート造、鉄骨鉄筋コンクリート造のマンションやアパートなどの集合住宅やオフィスビルである。
【００３１】
既存建物２０は、平面視で略長方形であり、各住戸が長辺方向に連続して配置され、戸境壁が耐震壁を形成しており、短辺方向の応力に対しては耐震性能が十分であるが長辺方向の応力に対しては耐震性能が不足するものであることが、特に好ましい。このような既存建物２０の場合、連結用スラブ１０は面内方向の水平力のみを負担すればよいので、その断面積や配筋が過大とならない。
【００３２】
補強フレーム３０は、既存建物２０の地震力を負担させる耐震補強用の構造体であり、既存建物２０とは独立して新たに構築される。補強フレーム３０は、新設された基礎３１（新設基礎）を有し、新設された柱（新設柱）３２、梁（新設梁）３３などから構成される架構である。
【００３３】
補強フレーム３０を構成する新設柱３２、新設梁３３などの部材は、プレキャスト部材からなる。これにより、補強フレーム３０を構築する工期を短縮することが可能となる。また、既存スラブ２１の形状などによっては、補強フレーム３０を構築するための型枠の設置又は撤去などが困難になることがある。しかし、補強フレーム３０にプレキャスト部材を用いることによって、型枠を省略又は削減することが可能となる。なお、補強フレーム３０の柱梁接合部、梁継手部などは、プレキャスト部材からなるものでなくてもよい。
【００３４】
連結用スラブ１０は、既存梁２３から新設梁３３側に張り出した既存スラブ２１の下面に、コンクリートによって既存スラブ２１と一体に構築される新たなスラブである。なお、日射、景観などを考慮して、連結用スラブ１０は、既存梁２３の下面に形成されている。
【００３５】
図２に示すように、連結用スラブ１０は、既存梁２３と新設梁３３との間に構築されており、既存梁２３及び新設梁３３とアンカー（鉄筋）４１，４２で連結されている。なお、図示しないが、連結用スラブ１０の内部には鉄筋が配筋されている。
【００３６】
既存梁２３の新設梁３３に対向する面には、後施工によってアンカー（既存側アンカー）４１が突出して設置されており、既存側アンカー４１の突出部分が連結用スラブ１０の内部に位置している。既存側アンカー４１は、ケミカルアンカーであっても機械式アンカーであってもよい。
【００３７】
新設梁３３の既存梁２３に対向する面には、アンカー（新設側アンカー）４２が突出して設置されており、この新設側アンカー４２の突出部分が連結用スラブ１０の内部に位置している。新設側アンカー４２は、新設梁３３を作成する際に予め埋め込んだ鉄筋を露出させたものでも、予め埋め込んだ袋ナットなどに後から鉄筋を設置させたものであってもよい。
【００３８】
既存スラブ２１には、上下に貫通する貫通孔２１ａが形成されている。この貫通孔２１ａは、既存梁２３の長手方向に沿って、直線状、千鳥状などに複数形成されている。貫通孔２１ａは、連結用スラブ１０と既存スラブ２１とを連結する連結部材５０を設置するための孔であると共に、連結用スラブ１０を構築するためのコンクリートを打設するための打設口でもある。
【００３９】
図３に示すように、各貫通孔２１ａには、それぞれ段差面２１ｂが設けられ、段差面２１ｂより上側部分は、段差面２１ｂより下側部分よりも大径になっている。
【００４０】
連結部材５０は、上下に開口を有する円筒状の鋼管５１と、鋼管５１の上下端付近にそれぞれ固定された上部鋼板５２及び下部鋼板５３とから形成されている。上部鋼板５２及び下部鋼板５３は、共に中央に円形状の穴が形成されたドーナツ状の円盤形状であり、中央の穴を通した鋼管５１に溶接などによって固定されている。なお、上部鋼板５２及び下部鋼板５３は鋼管５１にねじ形式などで取外し可能に固定してもよい。溶接で固定する場合、上部鋼板５２の上面と鋼管５１の上端面、及び下部鋼板５３の下面と鋼管５１の下端面とは、少なくとも隅肉溶接可能な程度に離れていることが好ましい。また、上部鋼板５２と下部鋼板５３との間隔は鋼管５１の外径の２倍以上であることが好ましい。
【００４１】
上部鋼板５２は、貫通孔２１ａの段差面２１ｂより上側の部分より小径であるが、貫通孔２１ａの段差面２１ｂより下側の部分より大径であり、貫通孔２１ａの段差面２１ｂで支持される。一方、下部鋼板５３は、貫通孔２１ａの段差面２１ｂより下側の部分より小径であり、貫通孔２１ａを通過して、連結用スラブ１０の内部に位置している。
【００４２】
貫通孔２１ａ内に位置する連結部材５０の上下方向の長さは、鋼管５１の外径以上であることが好ましい。また、連結用スラブ１０の内部に位置する連結部材５０の上下方向の長さも、鋼管５１の外径以上であることが好ましい。連結部材５０の上下端は、最小かぶり厚さを確保できることが好ましい。
【００４３】
連結部材５０の外周面と貫通孔２１ａの内周面との間の隙間には、グラウトが充填されている。そして、上部鋼板５２には、グラウト充填用の孔及びグラウト充填用の孔として少なくとも２つの開口５２ａが形成されている。
【００４４】
或いは、図４に示すように、連結部材５０の外周面と貫通孔２１ａの内周面との間の隙間が、コンクリートで充填されていてもよい。この場合、上部鋼板５２には、コンクリート充填時の空気抜き用の孔として少なくとも１つの開口５２ａが形成されている。
【００４５】
以上のように、本発明の実施形態に係る連結用スラブ１０によれば、既存梁２３と新設梁３３との互いに対向する面からそれぞれ突出されたアンカー４１，４２が連結用スラブ１０の内部に配置されており、これらアンカー４１，４２によって、連結用スラブ１０は既存梁２３及び新設梁３３とそれぞれ連結されている。さらに、既存スラブ２１の貫通孔２１ａ内及び連結用スラブ１０内に連続して位置した連結部材５０によって、連結用スラブ１０は既存スラブ２１と連結されている。
【００４６】
従って、アンカー４１，４２によって既存梁２３及び新設梁３３と連結用スラブ１０とが連結され、且つ、連結部材５０によって既存スラブ２１と連結用スラブ１０が連結されることにより、既存梁２３と新設梁３３との間で既存スラブ２１と連結用スラブ１０とが構造的に一体化された連結スラブを形成することができる。
【００４７】
これにより、地震時の既存建物２０の剪断力は、アンカー４１，４２に加えて、連結部材５０も介して、補強フレーム３０に伝達される。具体的には、地震時に既存建物２０に発生する剪断力は、既存スラブ２１から連結部材５０を介して、且つ、既存梁２３から既存側アンカー４１を介して、連結用スラブ１０に伝達され、そして、連結用スラブ１０から新設側アンカー４２を介して新設梁３３に伝達される。よって、地震時に既存建物２０にかかる応力を補強フレーム３０に確実に伝達して、既存建物２０の損傷を防ぐことが可能となる。
【００４８】
連結用スラブ１０の構造は、連結用スラブ１０の剪断終局耐力が補強フレーム３０の剪断終局耐力以上となるように定めればよい。連結用スラブ１０の既存建物２０との接合部の剪断終局耐力は、既存側アンカー４１の剪断耐力と連結部材５０の剪断耐力とを合計することによって算出することができる。そのため、既存側アンカー４１は新設側アンカー４２と比較して径又は本数を小さくすることができ、削孔などによる既存梁２３の表面の損傷を削減することが可能となる。なお、連結部材５０の剪断耐力を算定する際に、鋼管５１内のコンクリートを考慮してもよい。
【００４９】
さらに、連結部材５０の上部鋼板５２が既存スラブ２１に形成された貫通孔２１ａの段差面２１ｂで支持されているので、既存スラブ２１に連結部材５０を確実且つ安定的に定位置に定着させることができる。
【００５０】
また、連結部材５０の下部鋼板５３は、コンクリートで外部を囲まれて連結用スラブ１０の内部に配置されているので、連結用スラブ１０が下降などして既存スラブ２１との連結が消失することを防止することができる。そのため、下部鋼板５３の厚さや大きさは、その自重や振動などによって連結用スラブ１０と既存スラブ２１との間に隙間などが生じないように、連結用スラブ１０を支えることができる厚さや大きさに定められる。
【００５１】
次に、本発明の第１の実施形態に係る連結用スラブ１０の構築方法について図面を参照して説明する。この方法は、貫通孔２１ａに予め連結部材５０を設置しておき、コンクリートを連結部材５０の内部を介して打設してから貫通孔２１ａと連結部材５０との隙間にグラウトを注入する先付け工法である。
【００５２】
具体的には、まず、図５（ａ）に示すように、既存建物２０の外部に補強フレーム３０を構築する工程を行う。
【００５３】
そして、図５（ｂ）に示すように、既存梁２３の新設梁３３に対向する面に既存側アンカー４１を設置する工程を行う。また、新設梁３３の既存梁２３と対向する面に新設側アンカー４２を設置する工程を行う。また、既存スラブ２１に上下に貫通する貫通孔２１ａを形成する工程を行う。貫通孔２１ａはコアドリルなどを用いて削孔する。なお、補強フレーム３０を構築する前に、貫通孔２１ａを形成してもよい。
【００５４】
次に、既存スラブ２１の下側の既存梁２３と新設梁３３との間に、図示しないが、型枠を支保工などで設置する工程を行う。また、図５（ｃ）に示すように、既存スラブ２１に形成した貫通孔２１ａに、少なくも２つの開口５２ａを備えた上部鋼板５２（図３参照）を有する連結部材５０を設置する工程を行う。
【００５５】
そして、連結部材５０の鋼管５１の内部を介して既存スラブ２１の上側からコンクリートを打設する工程を行う。コンクリートは、少なくとも既存スラブ２１の下面を超えるまで打設する。なお、連結用スラブ１０を既存スラブ２１の下面と密着させるために、コンクリートは片押し打ちすることが好ましい。ここで、片押し打ちとは、打設する領域の一方の端部から他方の端部へ向けて打設する貫通孔２１ａを変更させながら連結してコンクリートを打設する方法である。
【００５６】
そして、コンクリートが硬化した後、上部鋼板５２に形成された少なくとも２つの開口５２ａの１つから、連結部材５０の外周面と貫通孔２１ａの内周面との間の隙間にグラウトを充填する工程を行う。グラウトは、無収縮モルタルなどのセメント系材料である。上部鋼板５２に形成された他の開口５２ａが、グラウト充填時の空気抜き用の孔となる。
【００５７】
その後、グラウトが硬化することによって、グラウト硬化部６１が形成され、且つ、アンカー４１，４２によって既存梁２３及び新設梁３３と連結されると共に、貫通孔２１ａ内から連続して位置した連結部材５０によって既存スラブ２１と連結された連結用スラブ１０を構築することができる。
【００５８】
本実施形態では、コンクリートに高流動性のものを使用しなくてもよい。
【００５９】
次に、本発明の第２の実施形態に係る連結用スラブの構築方法について図面を参照して説明する。この方法は、貫通孔２１ａからコンクリートを打設して、コンクリートが硬化する前に、貫通孔２１ａに連結部材５０を設置する後付け工法である。
【００６０】
具体的には、図５（ａ）に示すように、既存建物２０の外部に補強フレーム３０を構築する工程を行う。
【００６１】
そして、図５（ｂ）に示すように、既存梁２３の新設梁３３に対向する面に既存側アンカー４１を設置する工程を行う。また、新設梁３３の既存梁２３と対向する面に新設側アンカー４２を設置する工程を行う。また、既存スラブ２１に上下に貫通する貫通孔２１ａを形成する工程を行う。なお、補強フレーム３０を構築する前に、既存スラブ２１に貫通孔２１ａを形成してもよい。
【００６２】
そして、既存スラブ２１の既存梁２３と新設梁３３との間に、図示しないが、型枠を支保工などで設置する工程を行う。
【００６３】
そして、貫通孔２１ａを介して既存スラブ２１の上側からコンクリートを打設する工程を行う。コンクリートは、少なくとも既存スラブ２１の上面近くまで打設する。
【００６４】
そして、打設したコンクリートが硬化する前に、少なくも１つの開口５２ａを備えた上部鋼板５２（図３参照）を有する連結部材５０を貫通孔２１ａに設置する工程を行う。開口５２ａは、コンクリート充填時の空気抜き用の孔となる。
【００６５】
その後、図４に示すように、コンクリートが硬化し、且つ、アンカー４１，４２によって既存梁２３及び新設梁３３と連結されると共に、貫通孔２１ａ内から連続して位置した連結部材５０によって既存スラブ２１と連結された連結用スラブ１０を構築することができる。
【００６６】
本実施形態では、コンクリートを貫通孔２１ａから打設するので、連結部材５０の鋼管５１の内部からコンクリートを打設する第１の実施形態と比較して、コンクリートの打設が容易であり、且つ、打設時間を短縮することが可能となる。また、第１の実施形態のようにコンクリートが硬化するのを待ってグラウトを注入する必要がないので、作業時間を短縮化することが可能となる。
【００６７】
以上、本発明の実施形態について図面を参照して説明したが、本発明はこれに限定されない。
【００６８】
例えば、図面では、連結用スラブ１０の断面形状は同じであるように描いているが、作用する応力の大きさに応じて断面積を変化させてもよい。また、既存柱２２と新設柱３２の間に、梁型や耐震壁などを設けてもよい。
【符号の説明】
【００６９】
１０…連結用スラブ、  ２０…既存建物、  ２１…既存スラブ、  ２１ａ…貫通孔、  ２１ｂ…段差面  、２２…既存柱、  ２３…既存梁、  ３０…補強フレーム、  ３１…新設基礎、  ３２…新設柱、  ３３…新設梁、  ４１…既存側アンカー（アンカー）、  ４２…新設側アンカー（アンカー）、  ５０…連結部材、  ５１…鋼管、  ５２…上部鋼板（上側の鋼板）、  ５２ａ…開口、  ５３…下部鋼板（下側の鋼板）、  ６１…グラウト硬化部。
【図１】
2014001550.tif 000003
【図２】
2014001550.tif 000004
【図３】
2014001550.tif 000005
【図４】
2014001550.tif 000006
【図５】
2014001550.tif 000007